(57)【要約】【課題】炊飯器の蓋リング下面に設けられた凹部に放熱板セットを着脱自在に装着するようにした蓋において、その凹部を形成する周壁の形状が複雑で手入れ性が悪いことに鑑み、部品点数の増加をもたらすことなく、手入れ性やデザイン性を改善することである。【解決手段】蓋３を構成する蓋リング６の下面にその外周縁に沿った周壁３２を有する凹部３１を設け、その凹部３１に放熱板セット９を着脱自在に装着してなる炊飯器の蓋において、前記周壁３２の全体形状が概ね前記放熱板セット９の外形に沿った形状をなすように形成した。【選択図】図２
2005095569.tif 000002
【特許請求の範囲】
【請求項１】
蓋リングに蓋上部材を嵌合一体化するとともにその蓋リングの下面に外周縁に沿った周壁を有する凹部を設け、その凹部に放熱板セットを着脱自在に装着してなる炊飯器の蓋において、前記周壁の全体形状が概ね前記放熱板セットの外形に沿った形状をなすことを特徴とする炊飯器の蓋。
【請求項２】
前記放熱板セットは、円板形の放熱板とその外周縁に蓋パッキンを介して取付けられた環状の外周枠とからなり、その外周枠の環状部分の後端部中央部又はその近辺に係止爪を外方に突き出して設けるとともに、前端部中央の両側部にＬ形に屈曲して放熱板の下面側に立ち上がった摘まみ片を設けてなり、前記凹部の周壁はその全体形状が前記外周枠の環状部分に沿った形状を基本形状とし、前記係止爪に対向した部分ではその形状に沿った係合凹所を形成するとともに、前記摘まみ片に対向した部分では環状部分の前端中央において左右方向に仮想した接線に沿った面と、側面中央において前後方向に仮想した接線に沿った面とが交差する部分を緩やかな円弧面で連続させた形状をなすことを特徴とする請求項１に記載の炊飯器の蓋。
【請求項３】
前記蓋上部材の上面に金属製の蓋カバーを被せ、その蓋カバーを被せた部分の蓋上部材の上面に上向きに開放された多数の保温凹所を設け、それらの保温凹所の開放面に前記蓋カバーを当接させて空気層を形成したことを特徴とする請求項1 又は２に記載の炊飯器の蓋。
【請求項４】
前記蓋上部材に蒸気口カバーを嵌着する穴とその穴の外側部に浅い角形凹部を設け、前記保温凹所を該角形凹部の外側部に配置したことを特徴とする請求項３に記載の炊飯器の蓋。
【発明の詳細な説明】
【技術分野】
【０００１】
この発明は、炊飯器の蓋に関し、特にその下面に着脱自在に取付けられる放熱板セットの嵌合凹部の形状に関するものである。
【背景技術】
【０００２】
炊飯器の蓋には保温時における結露防止のための蓋ヒーターが内蔵され、その熱を拡散するための放熱板が蓋の下面に着脱自在に装着される。この放熱板セットは、円板形の金属製放熱板とその外周縁に蓋パッキンを介して取付けられた環状の外周枠とからなり、その外周枠の後端部中央の両側部に角形の係止爪を外方に若干量突き出して設けるとともに、前端部中央の両側部にＬ形に屈曲して放熱板の下面側に立ち上がった摘まみ片（把持片）を設けた形状をなすものである（特許文献１）。
【０００３】
前記の放熱板セットを取付けるために蓋の構成部材である蓋リングの下面には、その外周縁に沿った周壁を有する凹部が設けられる。その凹部の周壁は放熱板セットの外周とのすき間をできるだけ少なくするため、その外周形状にほぼ沿うように形成される。即ち、前記特許文献１に見られるように、凹部の周壁は全体としては放熱板セットの外周枠の外周形状に沿った円形をなし、その周壁の後端部（蓋のヒンジ側端部）においては前記の係止爪を受け入れる係合部が設けられるとともに、前端部の左右両側部においては前記の摘まみ片の外形に沿った欠円形の小凹部が設けられる。
【特許文献１】特開２００２−９５５８０号公報（段落００２０，００２１、図１参照）
【発明の開示】
【発明が解決しようとする課題】
【０００４】
前記のように、蓋リング下面の凹部を形成する周壁は、その内側に嵌合される放熱板セットとのすき間をできるだけ少なくすることが保温性能を良好に保つ観点から要求される。このため、従来の周壁の形状は、特に左右一対の摘まみ片の部分は、周壁に欠円形の小凹部を形成することにより、すき間を少なくする配慮が払われている。
【０００５】
しかしながら、前記のような２箇所の小凹部を周壁に設けることにより、周壁の形状に複雑な凹凸部分が存在することになり、手入れ性を悪くする原因になっているとともに、蓋を開放した際に目に付く蓋裏面の外観形状がすっきりせずデザイン性に欠けるところもあった。
【０００６】
そこで、この発明は保温性能の低下を補いながら、前記凹部の周壁の形状を単純化し、手入れ性及びデザイン性の向上を図ることを課題とする。
【課題を解決するための手段】
【０００７】
上記の課題を解決するために、この発明は、蓋リングに蓋上部材を嵌合一体化するとともにその蓋リングの下面に外周縁に沿った周壁を有する凹部を設け、その凹部に放熱板セットを着脱自在に装着してなる炊飯器の蓋において、前記周壁の全体形状が概ね前記放熱板セットの外形に沿った形状をなすように構成した。
【０００８】
上記の構成によると、凹部の周壁に従来の欠円形凹部は緩やかな円弧面となり、全体として単純化される。なお、保温性能の低下は、保温部材の追加、材料の厚さの増加等の手段により補うこととする。
【０００９】
一層具体的な構成としては、前記放熱板セットは、円板形の放熱板とその外周縁に蓋パッキンを介して取付けられた環状の外周枠とからなり、その外周枠の環状部分の後端部中央部又はその近辺に係止爪を外方に突き出して設けるとともに、前端部中央の両側部にＬ形に屈曲して放熱板の下面側に立ち上がった摘まみ片を設けてなり、前記凹部の周壁はその全体形状が前記外周枠の環状部分に沿った形状を基本形状とし、前記係止爪に対向した部分ではその形状に沿った係合凹所を形成するとともに、前記摘まみ片に対向した部分では環状部分の前端中央において左右方向に仮想した接線に沿った面と、側面中央において前後方向に仮想した接線に沿った面とが交差する部分を緩やかな円弧面で連続させた形状をなすように構成する。
【００１０】
また、保温性を補うために、前記蓋上部材の上面に金属製の蓋カバーを被せ、その蓋カバーを被せた部分の蓋上部材の上面に上向きに開放された多数の保温凹所を設け、それらの保温凹所の開放面に前記蓋カバーを当接させて空気層を形成した構成を採ることができる。前記の蓋カバーは蓋表面のデザイン性向上のために設けられるものであって、これを利用することにより保温性を補う手段として特別に追加する部品は不要である。
【００１１】
なお、前記蓋上部材に蒸気口カバーを嵌着する穴とその穴の外側部に浅い角形凹部を設け、前記保温凹所を該角形凹部の外側部に配置した構成を採ることができる。
【発明の効果】
【００１２】
以上のように、この発明によれば、蓋リング下面に設けられた凹部の周壁の形状が単純化されるため、手入れ性及びデザイン性が向上する。また、周壁形状の単純化のために劣化する保温性については、蓋上部材に設けた多数の保温凹所を蓋カバーで閉鎖して空気層を形成したことにより、部品点数の増加を伴うことなく補うことができる。
【発明を実施するための最良の形態】
【００１３】
以下、添付図面に基づいてこの発明の実施の形態を説明する。
【実施の形態１】
【００１４】
図１はジャー式の圧力炊飯器の一例を示している。この炊飯器は、炊飯器本体１と、ヒンジピン２（図３参照）により炊飯器本体１に開閉自在に取付けられた蓋３と、炊飯器本体１の両側面に回転自在に取付けられたハンドル４とからなる。炊飯器本体１に炊飯鍋５が収納される。
【００１５】
蓋３は、図３に示したように、蓋リング６に蓋上部材７を嵌合しビス１０で締結一体化したものである。蓋リング６の下面に蓋ヒーター８が取付けられ、その蓋ヒーター８の下面に放熱板セット９が着脱自在に取付けられる。前記の蓋リング６に蒸気入口穴１１を有するおねば捕捉室１２が設けられ、そのおねば捕捉室１２の上端開口部１３に蓋上部材７の開口周縁部１４がパッキン１５を介して嵌合される。その開口周縁部１４に蒸気口部材１６が着脱自在に取付けられる。その蒸気口部材１６に蒸気出口穴１７が設けられる。その他、蓋リング６には圧力炊飯に必要な圧力調整部材１８等が取付けられる。
【００１６】
前記の放熱板セット９は、図２から図４に示したように、円板形の金属製の放熱板１９とその外周縁に蓋パッキン２１を挟着して取付けられた環状の外周枠２２からなり、その外周枠２２の後端部中央部の両側に直角三角形状をなした係止爪２３、２３が外方に若干量突き出して設けられる。また、外周枠２２の前端部中央部に係止突起２４がわずかに前方に突き出して設けられる。さらに、その係止突起２４の左右両側部にＬ形に屈曲して放熱板１９の下面側に立ち上がった摘まみ片２５、２５が設けられる。なお、前記の放熱板１９には前記の蒸気入口穴１１に対向した蒸気穴２６等が設けられる。
【００１７】
前記の放熱板セット９を着脱自在に装着するための凹部３１が蓋リング６の下面に設けられる。図２に示したように、凹部３１の中央部に前記の放熱板セット９が固定される。凹部３１を形成する周壁３２は、その全体形状が概ね外周枠２２に沿った形状をなす。その詳細を図５に基づいて説明する。図５において、凹部３１の中心Ｏで交差する前後方向の中心線Ａと左右方向の中心線Ｂを示している。また、中心線Ａ上において周壁３２の前端部をＡ１、後端部をＡ２で示し、また中心線Ｂ上において左右の側端部をＢ１、Ｂ１で示す。
【００１８】
前記周壁３２の形状は、中心線Ａを基準として左右対称形である。また左右の側端部Ｂ１、Ｂ１と後端部Ａ２の間は基本的には外周枠２２に沿った円弧状をなすが、後端部Ａ２の両側部において前記の各係止爪２３、２３に沿った直角三角形状の凹部３３、３３が設けられる。各凹部３３、３３の直角部分に小突起３４、３４が設けられ、その背面のすき間３５（図２参照）に係止爪２３の直角部分が係合される。
【００１９】
前記の両側端部Ｂ１と前端部Ａ１との間の周壁３２の形状は、各側端部Ｂ１において引いた前後方向の仮想の接線ｂと前端部Ａ１において引いた仮想の接線ａに沿った面をそれらの交差点の内側で緩やかな円弧面で連続させた形状をなす。その円弧面の内側に前記の摘まみ片２５，２５が配置される。
【００２０】
前記の係止突起２４は、図３に示したように、蓋フック３６の回転軸４０に支持された放熱板セット検知部材３７に係合される。この放熱板セット検知部材３７は、放熱板セット９が装着された際はその係止突起２４に押されて傾き蓋フック３６の作動を妨げない。このため、蓋３を閉めると蓋フック３６が炊飯器本体１に係合される。使用者が放熱板セット９の装着を失念して蓋３を閉めた場合には、放熱板セット検知部材３７が炊飯器本体１の一部に干渉するため蓋フック３６の係合作用が妨げられ、蓋３がヒンジばね３８により勝手に開放されるため使用者に注意を喚起することができる。
【００２１】
放熱板セット９を手入れ等のために外す場合は、蓋３を開放した図１の状態から、２箇所の摘まみ片２５を把持して手前に引けば凹部３１から外れる。手入れの際、凹部３１の周壁３２は、特に摘まみ片２５に対応した部分は緩やかな円弧面となっているので、容易に手入れをすることができる。なお、放熱板セット９を再装着する場合は前記と逆の手順による。
【００２２】
なお、放熱板セット９の後端部において、前記のように左右一対の直角三角形状の係止爪２３、２３を設ける構成に代えて、後端部中央部Ａ２に四角形の係合爪を１箇所に設ける場合もある。その場合は、周壁３２の形状も前記の直角三角形状の２箇所の凹部３３、３３に代えて、前記の四角形の係合爪に対向した１箇所の四角形の凹部を設ける。
【００２３】
ところで、周壁３２の形状が摘まみ片２５の近辺では、緩やかな円弧面になっている結果、図５において符号ｃで示すコーナー部分は放熱板セット９と蓋リング６との間に従来に比べて大きいすき間が生じる。このようなすき間は、この部分が蓋リング６の一部で充たされている場合に比べ、断熱効果において劣ることになり、蓋３の保温性能に影響する。
【００２４】
このため、蓋３の内部に保温材料を充填するなどの手段をとることが考えられるが、この発明においては、部品点数の増加を伴うことなく保温性を補うべく次のような手段を採用した。即ち、図６に示したように、蓋上部材７の上面において、前記蒸気口部材１６を嵌合するために設けられた四角形の浅い凹部３９の周辺において、上面開放のセル状の保温凹所４１を多数設け、蓋上部材７の上面をカバーする金属製の蓋カバー４２により各保温凹所４１の上面を閉鎖する（図３参照）。これにより、各保温凹所４１ごとに閉鎖された空気層が形成され、その空気層による断熱作用により蓋３全体の保温性能を向上させる。
【００２５】
前記の蓋カバー４２は蓋上部材７の上面に専らデザイン的な観点から設けられるものであり、前記の保温性能向上のための特別部品ではないので部品点数の増加の原因にはならない。なお、蓋カバー４２は蓋上部材７の開口周縁部１４に合致する穴４３が設けられ、蓋上部材７に対し前述のようにビス１０、１０により締結一体化されるほか、外周縁に設けた多数の係合爪４４ａ、４４ｂを蓋上部材７の係合穴４５ａ、４５ｂに差し込んでカシメることにより周縁部の浮き上がりが防止される（図３及び図４参照）。これにより、各保温凹所４１内の空気層の移動は殆どない。
【００２６】
また、図７に示したように、前述の保温凹所４１を蓋上部材７の前縁に沿って多数設ける場合もある。この場合も蓋カバー４２と各保温凹所４１の空気層による断熱作用により蓋全体の保温性能を向上させる。さらに、保温凹所４１を蓋上部材７の前縁に沿って設けたことにより、炊飯時等において蓋全体が熱くなっている場合に使用者の指先が触れ易い金属製蓋カバー４２の部分の温度を下げることができる。
【００２７】
前記の蓋カバー４２の前端辺に設けた係合爪４４ａ（図３、図７参照）は、蓋上部材７の前端の係合穴４５ａに挿入係合され、その他の部分の係合爪４４ｂ（図４、図６、図７参照）は係合穴４５ｂに挿入係合される。これらの係合爪４４ａ、４４ｂはその屈曲部分でスプリングバック等の影響により、屈曲が不完全になることがあるが、以下の構成をとることによって、確実に屈曲させることができる。
【００２８】
前記の蓋上部材７の前端に設けられた係合穴４５ａの部分（図３参照）と、前記以外の係合穴４５ｂ（図４参照）の内面にはそれぞれ下向きの突状４６ａと４６ｂが設けられ、前記の係合爪４４ａ、４４ｂはこれらの各突条４６ａと４６ｂの上に屈曲される。各突条４６ａ、４６ｂの高さは、図３と図４とを比較すれば明らかなように、係合穴４５ａに沿った突条４６ａの方が相対的に低く形成されている。これは、蓋上部材７の前端部分においては、それ以外の部分におけるよりもコンパクトな設計が要求されていることによるものである。各係合爪４４ａ、４４ｂの屈曲を確実にさせる手段は突条４６ａと４６ｂの高さの相違によって異なったものとなる。
【００２９】
即ち、高さの低い突条４６ａに沿って屈曲させる場合は、屈曲量が十分とれないために塑性変形が不十分となり、スプリングバックの原因となる。そこで、この場合は、図８（ａ）（ｂ）に示したように、係合爪４４ａにビード４７を形成することとした。このビード４７は、屈曲部４８から頭部４９に渡り内側に膨出するように形成された断面山型のものであり、前記の突条４６ａ側に屈曲させると（図８（ｂ）の二点鎖線参照）、図９に示したように、ビード４７の一部が塑性変形するため、係合爪４４ａのスプリングバックが防止される。なお、ビード４７は外側に膨出させたものでもよい。
【００３０】
また、係合爪４４ｂの場合は、突条４６ｂが比較的高く形成されるので、係合爪４４ｂに前記のようなビード４７を設ける必要はなく、図１０に示したように、その突条４６ｂに沿って内側にまで逆クの字型に屈曲させることにより塑性変形させる。これにより、係止爪４４ｂを確実に屈曲させることができる。
【図面の簡単な説明】
【００３１】
【図１】実施形態の蓋開放状態の斜視図
【図２】同上の一部分解斜視図
【図３】同上の蓋の断面図
【図４】図３のＡ−Ａ線の断面図
【図５】同上の蓋リングの底面図
【図６】同上の蓋の一部の分解斜視図
【図７】同上の一部変形例の一部分解斜視図
【図８】（ａ）係合爪部分の正面図、（ｂ）（ａ）図のｂ−ｂ線の断面図、（ｃ）（ａ）図のｃ−ｃ線の断面図
【図９】係合爪部分の断面図
【図１０】係合爪部分の断面図
【符号の説明】
【００３２】
１  炊飯器本体
２  ヒンジピン
３  蓋
４  ハンドル
５  炊飯鍋
６  蓋リング
７  蓋上部材
８  蓋ヒーター
９  放熱板セット
１０  ビス
１１  蒸気入口穴
１２  おねば捕捉室
１３  上端開口部
１４  開口周縁部
１５  パッキン
１６  蒸気口部材
１７  蒸気出口穴
１８  圧力調整部材
１９  放熱板
２１  蓋パッキン
２２  外周枠
２３  係止爪
２４  係止突起
２５  摘まみ片
２６  蒸気穴
２９  蓋フック
３１  凹部
３２  周壁
３３  凹部
３４  小突起
３５  すき間
３６  蓋フック
３７  放熱板セット検知部材
３８  ヒンジばね
３９  浅い凹部
４１  保温凹所
４２  蓋カバー
４３  穴
４４ａ、４４ｂ  係合爪
４５ａ、４５ｂ  係合穴
４６ａ、４６ｂ  突条
４７  ビード
４８  屈曲部
４９  頭部
【図１】
2005095569.tif 000003
【図２】
2005095569.tif 000004
【図３】
2005095569.tif 000005
【図４】
2005095569.tif 000006
【図５】
2005095569.tif 000007
【図６】
2005095569.tif 000008
【図７】
2005095569.tif 000009
【図８】
2005095569.tif 000010
【図９】
2005095569.tif 000011
【図１０】
2005095569.tif 000012